(57)【要約】【課題】定着部材が回転する際の摺動抵抗を低く保つことができる定着装置及び画像形成装置を提供する。【解決手段】織物部材８の潤滑剤保持領域Ａ２、Ａ３において、経糸８１が回転方向の上流側から下流側に向かうにしたがって幅方向の中央部に向かうように延びていることで、経糸８１に案内された潤滑剤は、潤滑剤保持領域Ａ２、Ａ３の幅方向中央部に向かって移動する。従って、潤滑剤は潤滑剤保持領域Ａ２、Ａ３内に保持される。織物部材８が、このような潤滑剤保持領域Ａ２、Ａ３を幅方向の両側に有することで、定着部材２の内面２１のうち幅方向の両側において潤滑剤の不足が生じにくく、定着部材２が回転する際の摺動抵抗を低く保つことができる。【選択図】図５
2020020881.tif 000002
【特許請求の範囲】
【請求項１】
加圧部材と、該加圧部材に対向して設けられる無端筒状の定着部材と、該定着部材を加熱する加熱源と、前記定着部材を挟んで前記加圧部材の反対側に配置されることによりニップ部を形成するニップ形成手段と、前記定着部材のうち前記ニップ形成手段側の内面に潤滑剤を供給する供給手段と、を備えた定着装置であって、
前記ニップ形成手段は、経糸と緯糸とが織られることで形成されるとともに前記内面に接触する織物部材を有し、
前記織物部材は、幅方向の中央部に対する両側に、潤滑剤保持領域を少なくとも１つずつ有し、
前記潤滑剤保持領域において、前記緯糸が、回転方向における上流側に向かって凸に湾曲するとともに、前記経糸が、回転方向の上流側から下流側に向かうにしたがって当該潤滑剤保持領域における前記幅方向の中央部に向かうように延びていることを特徴とする定着装置。
【請求項２】
前記定着部材を前記幅方向の両端において保持しつつ回転を案内する一対の保持部材をさらに備え、
前記保持部材は、前記定着部材の内側に配置される保持突部を有し、
前記織物部材における前記幅方向の両端部に前記潤滑剤保持領域が形成され、当該潤滑剤保持領域の幅方向寸法が、前記内面と前記保持突部との接触領域の幅方向寸法以上であることを特徴とする請求項１に記載の定着装置。
【請求項３】
前記緯糸は、前記潤滑剤保持領域において前記幅方向の端部側ほど曲率が大きいことを特徴とする請求項１又は２に記載の定着装置。
【請求項４】
前記織物部材は、連続した一つのシート状部材であることを特徴とする請求項１〜３のいずれか１項に記載の定着装置。
【請求項５】
請求項１〜４のいずれか１項に記載の定着装置を備えたことを特徴とする画像形成装置。
【発明の詳細な説明】
【技術分野】
【０００１】
本発明は、定着装置及び該定着装置を備えた画像形成装置に関する。
【背景技術】
【０００２】
一般に、画像形成装置に用いられる定着装置として、無端筒状の定着部材（定着ベルト）と、加圧部材と、を備えたものが知られている。このような定着装置では、定着部材と加圧部材とによってニップ部が形成され、ニップ部においてトナーを加圧及び加熱することにより、記録紙に定着させるようになっている。
【０００３】
このような定着装置として、定着ベルトの内面に潤滑剤を塗布することにより、定着ベルトを、その内側に配置される部材に対して摺動させやすくしたものが提案されている（例えば、特許文献１参照）。特許文献１に記載された定着装置では、定着ベルトの内側に配置された吸収部材支持部材の外周面に溝を形成するとともに、この溝に潤滑剤吸収部材を配置することにより、潤滑剤が定着ベルトの端部から漏れることを抑制している。
【発明の概要】
【発明が解決しようとする課題】
【０００４】
しかしながら、特許文献１に記載された定着装置では、潤滑剤が定着ベルトの幅方向端部に向かって流れた際、漏れを抑制することができたとしても、潤滑剤が潤滑剤吸収部材に吸収されるため、定着ベルトに付着した潤滑剤の総量が低下してしまうことがあった。そこで、潤滑剤が幅方向端部に向かって流れないように、定着ベルトの回転時に潤滑剤を幅方向中央部に向けて案内する方法が考えられる。しかしながら、このような構成では、幅方向の端部において潤滑剤が不足してしまい、定着ベルトが幅方向の端部において他の部材と摺動する際に摺動抵抗が高くなってしまう可能性がある。
【０００５】
本発明は、定着部材が回転する際の摺動抵抗を低く保つことができる定着装置及び画像形成装置を提供することを課題とする。
【課題を解決するための手段】
【０００６】
請求項１に係る発明は、上記課題を解決するために、加圧部材と、該加圧部材に対向して設けられる無端筒状の定着部材と、該定着部材を加熱する加熱源と、前記定着部材を挟んで前記加圧部材の反対側に配置されることによりニップ部を形成するニップ形成手段と、前記定着部材のうち前記ニップ形成手段側の内面に潤滑剤を供給する供給手段と、を備えた定着装置であって、前記ニップ形成手段は、経糸と緯糸とが織られることで形成されるとともに前記内面に接触する織物部材を有し、前記織物部材は、幅方向の中央部に対する両側に、潤滑剤保持領域を少なくとも１つずつ有し、前記潤滑剤保持領域において、前記緯糸が、回転方向における上流側に向かって凸に湾曲するとともに、前記経糸が、回転方向の上流側から下流側に向かうにしたがって当該潤滑剤保持領域における前記幅方向の中央部に向かうように延びていることを特徴とする定着装置である。
【発明の効果】
【０００７】
本発明の定着装置によれば、潤滑剤保持領域において、経糸が回転方向の上流側から下流側に向かうにしたがって幅方向の中央部に向かうように延びていることで、経糸に案内された潤滑剤は、潤滑剤保持領域の幅方向中央部に向かって移動する。従って、潤滑剤保持領域内に潤滑剤が保持される。織物部材が、このような潤滑剤保持領域を幅方向の両側に有することで、定着部材の内面のうち幅方向の両側において潤滑剤の不足が生じにくく、定着部材が回転する際の摺動抵抗を低く保つことができる。
【図面の簡単な説明】
【０００８】
【図１】本発明の実施形態に係る定着装置を示す断面図である。
【図２】前記定着装置において定着部材が保持部材によって保持される様子を示す部分断面部である。
【図３】前記定着装置が設けられる画像形成装置の概略を示す断面図である。
【図４】前記定着装置の要部を拡大して示す断面図である。
【図５】前記定着装置の織物部材を模式的に示す平面図である。
【発明を実施するための形態】
【０００９】
［定着装置］
以下、本発明の実施形態を図面に基づいて説明する。本実施形態の定着装置１は、画像形成装置（図３参照）１００に設けられるものであって、定着部材２と、加熱源３と、加圧部材４と、ニップ形成手段５と、を備える。
【００１０】
定着部材２は、例えばニッケルやＳＵＳなどの金属ベルトやポリイミドなどの樹脂材料によって、無端筒状に形成されたベルトであり、フィルムであってもよい。ベルトの表層はＰＦＡまたはＰＴＦＥ層などの離型層を有し、トナーが付着しないように離型性を有している。ベルトの基材とＰＦＡまたはＰＴＦＥ層の間にはシリコーンゴムの層などで形成する弾性層が設けられていてもよい。シリコーンゴム層がない場合は、熱容量が小さくなり定着性が向上する一方、未定着画像を押し潰して定着させるときにベルト表面の微小な凹凸が画像に転写されて画像のベタ部にユズ肌状の光沢ムラ（ユズ肌画像）が残りやすくなる。これを改善するために、シリコーンゴム層を１００μｍ以上設けることが好ましい。シリコーンゴム層の変形により、微小な凹凸が吸収されユズ肌画像が改善する。
【００１１】
定着部材２の内部にはニップ形成手段５を支持するための支持部材（ステー）６が設けられ、加圧部材４により圧力を受けるニップ形成手段５の撓みを防止し、軸方向で均一なニップ幅を得られるようになっている。
【００１２】
また、定着装置１は、加熱源３と支持部材６との間に反射部材７を備え、加熱源３からの輻射熱などにより支持部材６が加熱されてしまうことによる無駄なエネルギー消費が抑制されている。ここで、反射部材７を設ける代わりに支持部材６表面に断熱もしくは鏡面処理を行っても同様の効果を得ることが可能となる。
【００１３】
加熱源３は、図示したハロゲンヒータでも良いが、ＩＨであっても良いし、抵抗発熱体、カーボンヒータ等であっても良い。加熱源３により、定着部材２が内周側から直接加熱される。加熱源３がハロゲンヒータである場合、定着装置１は遮光板を有していてもよい。遮光板は、記録紙サイズに応じた範囲で定着部材２が加熱されるように、ハロゲンヒータが照射した光を遮るものである。遮光板は、各種の記録紙サイズに応じた光通過部を有し、例えば回動することにより、適宜な光通過部が加熱源３と定着部材２との間に位置付けられるようになっている。
【００１４】
加圧部材４は、芯金４Ａの外側に弾性ゴム層４Ｂが設けられており、離型性を得るために弾性ゴム層４Ｂの表面に図示しない離型層（ＰＦＡまたはＰＴＦＥ層）が設けられている。加圧部材４は、図３に示す画像形成装置１００に設けられたモータなどの駆動源からギヤを介して駆動力が伝達され回転する。また、加圧部材４は、スプリングなどにより定着部材２側に押し付けられており、弾性ゴム層４Ｂが押し潰されて変形することにより、所定のニップ幅を有している。
【００１５】
加圧ローラは、中空のローラであっても良く、ハロゲンヒータなどの加熱源を有していても良い。弾性ゴム層は、ソリッドゴムでも良いが、加圧ローラ内部にヒータが無い場合には、スポンジゴムが用いられていても良い。スポンジゴムを用いた方が、断熱性が高まり定着スリーブの熱が奪われにくくなるので、より望ましい。
【００１６】
ニップ形成手段５は、定着部材２の内側に配置されており、即ち、定着部材２を挟んで加圧部材４の反対側に配置されている。これにより、対向配置された定着部材２と加圧部材４とによってニップ部Ｎが形成される。トナー像が転写された記録紙がこのニップ部Ｎを通過し、加熱及び加圧されることにより、トナー像が記録紙に定着するようになっている。
【００１７】
図１ではニップ部Ｎの形状が平坦状であるが、凹形状やその他の形状であっても良い。（ニップ部の形状は凹形状の方が、記録紙先端の排出方向が加圧ローラ寄りになり、分離性が向上するのでジャムの発生が抑制される。）
【００１８】
ニップ形成手段５の表面には、潤滑剤が含浸された織物部材８が設けられている。織物部材８は、定着部材２の内面（ニップ形成手段５側の面）２１に接触するように設けられており、接触部８Ａを構成する。また、織物部材８は、定着部材２の内面２１に潤滑剤を供給し、供給手段としても機能する。尚、潤滑剤としては、シリコーンオイルやグリスが例示される。織物部材８の詳細については後述する。
【００１９】
定着部材２は、加圧部材４が回転することにより、連れ回り回転する。図１に示す形態では、加圧部材４が駆動源により回転し、ニップ部Ｎでベルトに駆動力が伝達されることにより定着部材２が回転する。定着部材２は、ニップ部Ｎで挟み込まれて回転し、ニップ部Ｎ以外では両端部に保持部材が挿入されてガイドされ、走行する。
【００２０】
定着装置１は、図２に示すような一対の保持部材９Ａ、９Ｂをさらに備える。保持部材９Ａ、９Ｂは、板状のベース部９１と、ベース部９１から突出した保持突部９２と、を有する。保持突部９２は、例えば円筒状に形成され、定着部材２の内側に配置され、内面２１と摺接する。一対の保持部材９Ａ、９Ｂは、保持突部９２が定着部材２の幅方向（軸方向）の両端に挿通されることにより、定着部材２を幅方向の両端において保持しつつ回転を案内する。
【００２１】
上記のような構成により安価で、ウォームアップが速い定着装置を実現することが可能となる。
【００２２】
［画像形成装置］
次に、上述した構成を用いる画像形成装置１００の構成を図３により説明すると次の通りである。
【００２３】
図３に示した画像形成装置１００は、複数の色画像を形成する作像部がベルトの展張方向に沿って並置されたタンデム方式を用いるカラープリンタである。本発明はこの方式に限ることはなく、またプリンタだけではなく複写機やファクシミリ装置などを対象とすることも可能である。
【００２４】
図３において画像形成装置１００は、イエロー、シアン、マゼンタ、ブラックの各色に色分解された色にそれぞれ対応する像としての画像を形成可能な像担持体としての感光体ドラム２０Ｙ、２０Ｃ、２０Ｍ、２０Ｂｋを並設したタンデム構造が採用されている。
【００２５】
図３に示す構成の画像形成装置１００では、各感光体ドラム２０Ｙ、２０Ｃ、２０Ｍ、２０Ｂｋに形成された可視像が、各感光体ドラム２０Ｙ、２０Ｃ、２０Ｍ、２０Ｂｋに対峙しながら矢印Ａ１方向に移動可能な無端ベルトが用いられる中間転写体（以下、転写ベルトという）１１に対して１次転写行程を実行してそれぞれの画像が重畳転写される。その後、記録シートなどが用いられる記録紙Ｓに対して２次転写行程を実行することで一括転写されるようになっている。
【００２６】
各感光体ドラム２０Ｙ、２０Ｃ、２０Ｍ、２０Ｂｋの周囲には、感光体ドラム２０Ｙ、２０Ｃ、２０Ｍ、２０Ｂｋの回転に従い画像形成処理するための画像形成手段が配置されている。ここで、ブラック画像形成を行う感光体ドラム２０Ｂｋを対象として説明すると、感光体ドラム２０Ｂｋの回転方向に沿って画像形成処理を行う帯電装置３０Ｂｋと、現像装置４０Ｂｋと、１次転写ローラ１２Ｂｋと、クリーニング装置５０Ｂｋと、が配置されている。帯電後に行われる書き込みは、光書込装置６０が用いられる。
【００２７】
転写ベルト１１に対する重畳転写は、転写ベルト１１がＡ１方向に移動する過程において、各感光体ドラム２０Ｙ、２０Ｃ、２０Ｍ、２０Ｂｋに形成された可視像が、転写ベルト１１の同じ位置に重ねて転写される。即ち、転写ベルト１１を挟んで各感光体ドラム２０Ｙ、２０Ｃ、２０Ｍ、２０Ｂｋに対向して配設された１次転写ローラ１２Ｙ、１２Ｃ、１２Ｍ、１２Ｂｋによる電圧印加によって、Ａ１方向上流側から下流側に向けてタイミングをずらして行われる。
【００２８】
各感光体ドラム２０Ｙ、２０Ｃ、２０Ｍ、２０Ｂｋは、Ａ１方向の上流側からこの順で並んでいる。各感光体ドラム２０Ｙ、２０Ｃ、２０Ｍ、２０Ｂｋは、イエロー、シアン、マゼンタ、ブラックの画像をそれぞれ形成するための画像ステーションに備えられている。
【００２９】
画像形成装置１００は、色毎の画像形成処理を行う４つの画像ステーションと、各感光体ドラム２０Ｙ、２０Ｃ、２０Ｍ、２０Ｂｋの上方に対向して配設され、転写ベルト１１及び１次転写ローラ１２Ｙ、１２Ｃ、１２Ｍ、１２Ｂｋを備えた転写ベルトユニット１０と、転写ベルト１１に対向して配設され転写ベルト１１に従動し、連れ回りする転写部材としての転写ローラである２次転写ローラ１４と、転写ベルト１１に対向して配設され転写ベルト１１上をクリーニングする中間転写ベルト用のクリーニング装置１３と、これら４つの画像ステーションの下方に対向して配設された光書き込み装置としての光書込装置６０と、を有している。
【００３０】
光書込装置６０は、光源としての半導体レーザ、カップリングレンズ、ｆθレンズ、トロイダルレンズ、折り返しミラーおよび偏向手段としての回転多面鏡などを装備している。光書込装置６０は、各感光体ドラム２０Ｙ、２０Ｃ、２０Ｍ、２０Ｂｋに対して色毎に対応した書き込み光Ｌｂ（図３では、便宜上、ブラック画像の画像ステーションのみを対象として符号が付けてあるが、その他の画像ステーションも略同様である）を出射して感光体ドラム２０Ｙ、２０Ｃ、２０Ｍ、２０Ｂｋに静電潜像を形成する構成とされている。
【００３１】
画像形成装置１００には、感光体ドラム２０Ｙ、２０Ｃ、２０Ｍ、２０Ｂｋと転写ベルト１１との間に向けて搬送される記録紙Ｓを積載した給紙カセットとしてのシート給送装置７０と、シート給送装置７０から搬送されてきた記録紙Ｓを、画像ステーションによるトナー像の形成タイミングに合わせた所定のタイミングで、各感光体ドラム２０Ｙ、２０Ｃ、２０Ｍ、２０Ｂｋと転写ベルト１１との間の転写部に向けて繰り出すレジストローラ対８１０と、記録紙Ｓの先端がレジストローラ対８１０に到達したことを検知する図示しないセンサと、が設けられている。
【００３２】
画像形成装置１００には、トナー像が転写された記録紙Ｓにトナー像を定着させるためのローラ定着方式の定着手段としての定着装置１と、定着済みの記録紙Ｓを画像形成装置１００の本体外部に排出する排紙ローラ８２０と、画像形成装置１００の本体上部に配設されて排紙ローラ８２０により画像形成装置１００の本体外部に排出された記録紙Ｓを積載する排紙トレイ８３と、排紙トレイ８３の下側に位置し、イエロー、シアン、マゼンタ、ブラックの各色のトナーを充填されたトナーボトル９Ｙ、９Ｃ、９Ｍ、９Ｂｋと、が設けられている。
【００３３】
転写ベルトユニット１０は、転写ベルト１１、１次転写ローラ１２Ｙ、１２Ｃ、１２Ｍ、１２Ｂｋの他に、転写ベルト１１が掛け回されている駆動ローラ１５及び従動ローラ１６を有している。
【００３４】
従動ローラ１６は、転写ベルト１１に対する張力付勢手段としての機能も備えており、このため、従動ローラ１６には、バネなどを用いた付勢手段が設けられている。このような転写ベルトユニット１０と、１次転写ローラ１２Ｙ、１２Ｃ、１２Ｍ、１２Ｂｋと、２次転写ローラ１４と、クリーニング装置１３と、で転写装置１０Ａが構成されている。
【００３５】
シート給送装置７０は、画像形成装置１００の本体下部に配設されており、最上位の記録紙Ｓの上面に当接する給紙ローラとしての給送ローラ８４を有している。給送ローラ８４が反時計回り方向に回転駆動されることにより、最上位の記録紙Ｓをレジストローラ対８１０に向けて給送するようになっている。
【００３６】
転写装置１０Ａに装備されているクリーニング装置１３は、詳細な図示を省略するが、転写ベルト１１に対向、当接するように配設されたクリーニングブラシとクリーニングブレードとを有している。転写ベルト１１上の残留トナー等の異物をクリーニングブラシとクリーニングブレードとにより掻き取り、除去して、転写ベルト１１をクリーニングするようになっている。
【００３７】
クリーニング装置１３は、転写ベルト１１から除去した残留トナーを搬出し廃棄するための図示しない排出手段を有している。
【００３８】
画像形成装置１００は、装置全体を操作するための図示しない操作パネルと、装置全体を制御する図示しない制御手段と、をさらに備える。
【００３９】
制御手段は、通紙枚数や運転時間、定着部材２の回転数等が所定の値以上となると、定着部材２のメンテナンスが必要であること（メンテナンス表示）を操作パネルに表示させ、操作パネルが表示手段として機能する。即ち、制御手段は、所定の運転間隔で操作パネルにメンテナンスの要否を表示させる。メンテナンスが行われると、制御手段は、メンテナンス表示を停止させ、通紙枚数や運転時間、定着部材２の回転数等のカウントを再開する。
【００４０】
［織物部材］
次に、定着装置１における織物部材８の詳細について、図４、５に基づいて説明する。尚、図５は定着部材２の内面２１を示しており、実際には織物部材８及び保持部材９の保持突部９２は見えないが、説明の都合上、内面２１に織物部材８及び保持突部９を重ねて図示している。織物部材８は、連続した一つのシート状部材であり、複数の経糸８１と複数の緯糸８２とを有する。
【００４１】
織物部材８は、幅方向の中央部を含む中央領域Ａ１と、中央領域Ａ１に対して幅方向両側に配置される潤滑剤保持領域Ａ２、Ａ３と、を有する。
【００４２】
中央領域Ａ１において、経糸８１は、回転方向の上流側から下流側に向かうにしたがって、織物部材８全体の幅方向中央部に向かうように延びている。即ち、中央領域Ａ１の経糸８１は、幅方向中央に配置されたものを除き、回転方向に対して傾斜している。中央領域Ａ１において、緯糸８２は、回転方向の上流側に向かって凸に湾曲しており、凸形状の頂点は織物部材８全体の幅方向中央部に位置している。
【００４３】
尚、中央領域Ａ１において、経糸が回転方向に沿って延びるとともに、緯糸が幅方向に沿って延びる構成としてもよい。
【００４４】
潤滑剤保持領域Ａ２、Ａ３において、経糸８１は、回転方向の上流側から下流側に向かうにしたがって、各潤滑剤保持領域Ａ２、Ａ３における幅方向の中央部に向かうように延びている。図示の例では、各潤滑剤保持領域Ａ２、Ａ３に、３本の経糸８１Ａ〜８１Ｃが配置され、幅方向中央の経糸８１Ｂが回転方向に沿って延びるとともに、両側の経糸８１Ａ、８１Ｃが回転方向に対して傾斜している。
【００４５】
潤滑剤保持領域Ａ２、Ａ３において、緯糸８２は、回転方向の上流側に向かって凸に湾曲しており、凸形状の頂点は各潤滑剤保持領域Ａ２、Ａ３における幅方向の中央部に位置している。即ち、中央の経糸８１Ｂが緯糸８２の頂点を通るように配置されている。潤滑剤保持領域Ａ２、Ａ３において、緯糸８２は、各潤滑剤保持領域Ａ２、Ａ３における幅方向の端部側ほど曲率が大きくなっている。また、緯糸８２は、中央領域Ａ１よりも潤滑剤保持領域Ａ２、Ａ３において曲率が大きくなっている。
【００４６】
各潤滑剤保持領域Ａ２、Ａ３の幅方向寸法は互いに略等しく、これらの寸法をＬ１とする。定着部材２の内面２１と保持突部９２とが接触する領域（接触領域）の幅方向の寸法をＬ２とする。寸法Ｌ１と寸法Ｌ２とが略等しくなっている。
【００４７】
上記のような織物部材８が定着部材２の内面２１に接触することで、定着部材２が回転してニップ部Ｎを通過する際、定着部材２の内面２１に付着した潤滑剤は、経糸８１の延在方向に沿って移動する。即ち、経糸８１によって潤滑剤が案内される。
【００４８】
中央領域Ａ１において、経糸８１が、回転方向の上流側から下流側に向かうにしたがって、織物部材８全体の幅方向中央部に向かうように延びていることで、潤滑剤は、織物部材８全体の幅方向中央部に向かうように案内される。
【００４９】
潤滑剤保持領域Ａ２、Ａ３において、経糸８１が、回転方向の上流側から下流側に向かうにしたがって、各潤滑剤保持領域Ａ２、Ａ３における幅方向の中央部に向かうように延びていることで、潤滑剤は、各潤滑剤保持領域Ａ２、Ａ３における幅方向の中央部に向かうように案内される。即ち、上流側（織物部材８の通過前）において内面２１のうち潤滑剤保持領域Ａ２、Ａ３に対応する領域に存在していた潤滑剤は、下流側（織物部材８の通過後）においてもこの領域に留まる。即ち、潤滑剤が定着部材２の端部から漏れ出したり、内面２１のうち中央領域Ａ１に対応する領域に移動したりすることが抑制されている。
【００５０】
尚、織物部材８は、互いに色の異なる緯糸８２を有していてもよい。例えば、図５に示された３本の緯糸８２のうち、回転方向の中央の１本を赤色とし、他の２本を黒色としてもよい。また、３本の緯糸８２を全て異なる色としてもよい。このように、織物部材８が互いに色の異なる複数の緯糸８２を有する構成とすれば、緯糸８２の形状を認識しやすく、緯糸８２の湾曲量を測定しやすい。
【００５１】
このような本実施形態によれば、以下のような効果がある。即ち、織物部材８の潤滑剤保持領域Ａ２、Ａ３において、経糸８１が回転方向の上流側から下流側に向かうにしたがって幅方向の中央部に向かうように延びていることで、経糸８１に案内された潤滑剤は、潤滑剤保持領域Ａ２、Ａ３の幅方向中央部に向かって移動する。従って、潤滑剤は潤滑剤保持領域Ａ２、Ａ３内に保持される。織物部材８が、このような潤滑剤保持領域Ａ２、Ａ３を幅方向の両側に有することで、定着部材２の内面２１のうち幅方向の両側において潤滑剤の不足が生じにくく、定着部材２が回転する際の摺動抵抗を低く保つことができる。
【００５２】
また、織物部材８は、製造誤差等によって、本来の位置に対して多少の傾斜を有して取り付けられることがある。例えば、潤滑剤保持領域Ａ２、Ａ３の幅方向中央部の経糸８１Ｂが、回転方向に対して傾斜することがある。このような場合、潤滑剤が集まる位置が、潤滑剤保持領域Ａ２、Ａ３の幅方向中央部から多少ずれるものの、潤滑剤保持領域Ａ２、Ａ３から潤滑剤が漏れることは抑制される。
【００５３】
また、潤滑剤保持領域Ａ２、Ａ３の幅方向における寸法Ｌ１が、定着部材２の内面２１と保持突部９２との接触領域の幅方向における寸法Ｌ２と略等しいことで、接触領域において潤滑剤の不足が生じにくく、内面２１と保持突部９２との間の摺動抵抗を低く保つことができる。
【００５４】
また、織物部材８の緯糸８２が、潤滑剤保持領域Ａ２、Ａ３において、回転方向の上流側に向かって凸に湾曲していることで、この湾曲の程度を測定し、経糸８１の傾斜角度θを管理することができる。さらに、緯糸８２が、潤滑剤保持領域Ａ２、Ａ３における幅方向の端部側ほど曲率が大きいことで、回転方向に対して経糸８１を傾斜させやすい。
【００５５】
また、織物部材８が連続した一つのシート状部材であることで、シート同士の隙間から潤滑剤が漏れてしまうことを抑制することができる。
【００５６】
なお、本発明は、前記実施形態に限定されるものではなく、本発明の目的が達成できる他の構成等を含み、以下に示すような変形等も本発明に含まれる。
【００５７】
例えば、前記実施形態では、潤滑剤保持領域Ａ２、Ａ３の幅方向の寸法Ｌ１が、定着部材２の内面２１と保持突部９２との接触領域の幅方向の寸法Ｌ２と略等しいものとしたが、潤滑剤保持領域の幅方向の寸法は、接触領域の幅方向の寸法よりも大きくてもよい。このような構成においても、前記実施形態と同様に、接触領域において潤滑剤の不足が生じにくく、定着部材の内面と保持突部との間の摺動抵抗を低く保つことができる。
【００５８】
また、例えば潤滑剤保持領域よりも幅方向中央側において潤滑剤の偏りが生じにくく、接触領域において潤滑剤の不足が生じにくい場合には、潤滑剤保持領域の幅方向の寸法は、接触領域の幅方向の寸法よりも小さくてもよい。
【００５９】
また、前記実施形態では、緯糸８２が、潤滑剤保持領域Ａ２、Ａ３における幅方向の端部側ほど曲率が大きいものとしたが、緯糸は、潤滑剤保持領域において、回転方向に対して経糸が適宜な傾斜角度を有するように湾曲していればよく、曲率は適宜に設定されればよい。
【００６０】
また、前記実施形態では、織物部材８が連続した一つのシート状部材であるものとしたが、例えば複数のシート状部材を接続するとともに、潤滑剤が漏れにくいような接続部を形成することにより、織物部材を構成してもよい。
【００６１】
また、前記実施形態では、織物部材８が定着部材２の内面２１に潤滑剤を供給する供給手段として機能するものとしたが、供給手段は、織物部材とは別体に設けられていてもよい。
【００６２】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、当業者が様々な変形を加えることができるものである。
【００６３】
従って、上記に開示した形状、材質などを限定した記載は、本発明の理解を容易にするために例示的に記載したものであり、本発明を限定するものではない。それらの形状、材質などの限定の一部、もしくは全部の限定を外した部材の名称での記載は、本発明に含まれるものである。
【符号の説明】
【００６４】
１          定着装置
２          定着部材
２１        内面
３          加熱源
４          加圧部材
５          ニップ形成手段
８          織物部材
８１、８１Ａ〜８１Ｃ      経糸
８２        緯糸
９Ａ、９Ｂ  保持部材
９２        保持突部
Ａ２、Ａ３  潤滑剤保持領域
１００      画像形成装置
【先行技術文献】
【特許文献】
【００６５】
【特許文献１】特開２００８−２６６０３号公報
【図１】
2020020881.tif 000003
【図２】
2020020881.tif 000004
【図３】
2020020881.tif 000005
【図４】
2020020881.tif 000006
【図５】
2020020881.tif 000007